(57)【要約】【課題】  印刷物を回収した際に、すべての印刷物が回収されたかどうかを確認するためには、各部の通し番号を調べた上に、部のなかのあるページが抜き取られている可能性もあった。【解決手段】  各部に通し番号をつけた印刷出力を回収確認する際、複写機の自動給紙装置とスキャナを用い、ユーザは読取りボタンを押す程度で容易にすべての印刷出力が回収できたかどうかを確認することができる。【選択図】  図５
2006173748.tif 000002
【特許請求の範囲】
【請求項１】
プリンタドライバと自動原稿送り装置が装備された複写機が通信媒体で接続されたプリントシステムにおいて、
前記プリンタドライバは、
印刷出力のそれぞれの部に、部の序数を印刷するか否かの部の序数印刷設定手段、
印刷出力の回収確認をするか否かの回収確認設定手段、
アプリケーションからの印刷指示を一度スプールして印刷出力の一部あたりのページ数を計数するページ数係数手段、
を有し、
前記複写機は、
前記プリンタドライバから送られてきた印刷ジョブ属性に、部の序数の印刷が指示されている場合、印刷出力のすべての部、すべてのページに部の序数を印刷する部の序数印刷手段、
回収確認が指示されている場合、出力総部数、部の序数、各部の総ページ数、ページ数の情報を含む識別コードを印刷出力の全ページに印刷する、識別コード印刷手段、
ユーザが、自動原稿送り装置にセットした回収印刷出力の回収確認を指示する、回収確認開始指示手段、
回収印刷出力の読取りがさらに続くか、終了するかを支持する、読取り継続および終了指示手段、
回収確認指示手段、および読取り継続および終了指示手段により、回収印刷出力の識別コードを読取る、識別コード読取り手段、
前記識別コード読取り手段により読取られた情報に基づき、全部数、全ページについて欠落を検知する、欠落ページ検知手段、
前記欠落ページ検知手段により欠落ページがあった場合、欠落ページの情報をユーザに通知する、欠落ページ通知手段、
を有することを特徴とする印刷出力回収確認システム。
【請求項２】
請求項１に記載の印刷出力回収確認システムにおいて、
前記識別コード印刷手段は、1次元バーコード、あるいは2次元バーコードであることを特徴とする印刷出力回収確認システム。
【請求項３】
請求項１に記載の印刷出力回収確認システムにおいて、
前記プリンタドライバは、部の序数および識別コードの印刷出力上における印刷位置を指定する、部の序数および識別コード印刷位置指定手段を有し、
前記複写機は、印刷ジョブの印刷属性に含まれる部の序数および識別コード印刷位置指示に基づき、部の序数および識別コードを印刷する、部の序数印刷手段および識別コード印刷手段を有することを特徴とする印刷出力回収確認システム。
【請求項４】
請求項１に記載の印刷出力回収確認システムにおいて、
印刷出力の唯一性を確保するために、前記識別コード印刷手段はUUID(Universal Unique Identifier)を付加して印刷することを特徴とする印刷出力回収確認システム。
【請求項５】
請求項１に記載の印刷出力回収確認システムにおいて、
欠落ページ通知手段は、欠落ページがあればそれらをソートして印刷出力、あるいは複写機本体のパネルに表示することを特徴とする、印刷出力回収確認システム。
【請求項６】
請求項１に記載の印刷出力回収確認システムにおいて、
前記欠落ページ通知手段は、欠落ページがなければ、ないことを通知する印刷出力を行う、あるいは複写機本体のパネルに表示することを特徴とする印刷出力回収確認システム。
【請求項７】
プリンタドライバと自動原稿送り装置が装備された複写機が通信媒体で接続されたプリントシステムにおいて、
前記プリンタドライバは、
印刷出力のそれぞれの部に、部の序数を印刷するか否かの部の序数印刷設定手段、
印刷出力の回収確認をするか否かの回収確認設定手段、
を持ち、
前記複写機は、
前記プリンタドライバから送られてきた印刷ジョブをスプールして印刷出力の一部あたりのページ数を計数するページ数係数手段、
前記プリンタドライバから送られてきた印刷ジョブ属性に、部の序数の印刷が指示されている場合、印刷出力のすべての部、すべてのページに部の序数を印刷する部の序数印刷手段、
回収確認が指示されている場合、出力総部数、部の序数、各部の総ページ数、ページ数の情報を含む識別コードを印刷出力の全ページに印刷する、識別コード印刷手段、
ユーザが、自動原稿送り装置にセットした回収印刷出力の回収確認を指示する、回収確認開始指示手段、
回収印刷出力の読取りがさらに続くか、終了するかを支持する、読取り継続および終了指示手段、
回収確認指示手段、および読取り継続および終了指示手段により、回収印刷出力の識別コードを読取る、識別コード読取り手段、
前記識別コード読取り手段により読取られた情報に基づき、全部数、全ページについて欠落を検知する、欠落ページ検知手段、
前記欠落ページ検知手段により欠落ページがあった場合、欠落ページの情報をユーザに通知する、欠落ページ通知手段、
を有することを特徴とする印刷出力回収確認システム。
【請求項８】
請求項７に記載の印刷出力回収確認システムにおいて、
前記識別コード印刷手段は、1次元バーコード、あるいは2次元バーコードであることを特徴とする印刷出力回収確認システム。
【請求項９】
請求項７に記載の印刷出力回収確認システムにおいて、
前記プリンタドライバは、部の序数および識別コードの印刷出力上における印刷位置を指定する、部の序数および識別コード印刷位置指定手段を有し、
前記複写機は、印刷ジョブの印刷属性に含まれる部の序数および識別コード印刷位置指示に基づき、部の序数および識別コードを印刷する、部の序数印刷手段および識別コード印刷手段を有することを特徴とする印刷出力回収確認システム。
【請求項１０】
請求項７に記載の印刷出力回収確認システムにおいて、
印刷出力の唯一性を確保するために、前記識別コード印刷手段はUUID(Universal Unique Identifier)を付加して印刷することを特徴とする、印刷出力回収確認システム。
【請求項１１】
請求項７に記載の印刷出力回収確認システムにおいて、
欠落ページ通知手段は、欠落ページがあればそれらをソートして印刷出力、あるいは複写機本体のパネルに表示することを特徴とする、印刷出力回収確認システム。
【請求項１２】
請求項７に記載の印刷出力回収確認システムにおいて、
前記欠落ページ通知手段は、欠落ページがなければ、ないことを通知する印刷出力を行う、あるいは複写機本体のパネルに表示することを特徴とする、印刷出力回収確認システム。
【発明の詳細な説明】
【技術分野】
【０００１】
本発明は、印刷出力物の回収確認方法に関するものである。
【背景技術】
【０００２】
従来、複写機やプリンタなどで機密性の高い印刷を行う場合、印刷の各部に通し番号を印刷する方法が考案されていた。例えば、何かの説明会を行う際の頒布する資料の各部に通し番号を印刷することにより、印刷出力物を頒布する際に、どの番号の印刷出力を、誰に頒布したかを記録しておき、その印刷出力物を使用後、回収した際に、印刷出力物に印刷されている通し番号を確認することにより、回収されたかどうか、あるいは回収されていない場合、誰が返却していないか特定することが可能であった。
【０００３】
また、特許文献１には、バリアブルな製本が行える製本ラインのデリバリラインで製造された製本印刷物の管理において、目視での全数検査による作業員の負担や作業ミスを無くすことができ、効率を大幅に向上させ、バリアブルな製本印刷物の管理を確実に行うことの記載がある。
【特許文献１】特開２００３−００１９６５号公報
【発明の開示】
【発明が解決しようとする課題】
【０００４】
しかし上記従来例では、印刷物を回収した際に、すべての印刷物が回収されたかどうかを確認するためには、各部の通し番号を調べた上に、部のなかのあるページが抜き取られている可能性もあるため、各部の全ページがすべて揃っているかの確認も行う必要があり、非常に手間がかかる。
【課題を解決するための手段】
【０００５】
上記問題を解決するために、本発明は、
プリンタドライバと自動原稿送り装置が装備された複写機が通信媒体で接続されたプリントシステムにおいて、
前記プリンタドライバは、
印刷出力のそれぞれの部に、部の序数を印刷するか否かの部の序数印刷設定手段、
印刷出力の回収確認をするか否かの回収確認設定手段、
アプリケーションからの印刷指示を一度スプールして印刷出力の一部あたりのページ数を計数するページ数係数手段、
を有し、
前記複写機は、
前記プリンタドライバから送られてきた印刷ジョブ属性に、部の序数の印刷が指示されている場合、印刷出力のすべての部、すべてのページに部の序数を印刷する部の序数印刷手段、
回収確認が指示されている場合、出力総部数、部の序数、各部の総ページ数、ページ数の情報を含む識別コードを印刷出力の全ページに印刷する、識別コード印刷手段、
ユーザが、自動原稿送り装置にセットした回収印刷出力の回収確認を指示する、回収確認開始指示手段、
回収印刷出力の読取りがさらに続くか、終了するかを支持する、読取り継続および終了指示手段、
回収確認指示手段、および読取り継続および終了指示手段により、回収印刷出力の識別コードを読取る、識別コード読取り手段、
前記識別コード読取り手段により読取られた情報に基づき、全部数、全ページについて欠落を検知する、欠落ページ検知手段、
前記欠落ページ検知手段により欠落ページがあった場合、欠落ページの情報をユーザに通知する、欠落ページ通知手段、
を有することを特徴とする。
【発明の効果】
【０００６】
以上述べたように、
プリンタドライバと自動原稿送り装置が装備された複写機が通信媒体で接続されたプリントシステムにおいて、
前記プリンタドライバは、
印刷出力のそれぞれの部に、部の序数を印刷するか否かの部の序数印刷設定手段、
印刷出力の回収確認をするか否かの回収確認設定手段、
アプリケーションからの印刷指示を一度スプールして印刷出力の一部あたりのページ数を計数するページ数係数手段、
を有し、
前記複写機は、
前記プリンタドライバから送られてきた印刷ジョブ属性に、部の序数の印刷が指示されている場合、印刷出力のすべての部、すべてのページに部の序数を印刷する部の序数印刷手段、
回収確認が指示されている場合、出力総部数、部の序数、各部の総ページ数、ページ数の情報を含む識別コードを印刷出力の全ページに印刷する、識別コード印刷手段、
ユーザが、自動原稿送り装置にセットした回収印刷出力の回収確認を指示する、回収確認開始指示手段、
回収印刷出力の読取りがさらに続くか、終了するかを支持する、読取り継続および終了指示手段、
回収確認指示手段、および読取り継続および終了指示手段により、回収印刷出力の識別コードを読取る、識別コード読取り手段、
前記識別コード読取り手段により読取られた情報に基づき、全部数、全ページについて欠落を検知する、欠落ページ検知手段、
前記欠落ページ検知手段により欠落ページがあった場合、欠落ページの情報をユーザに通知する、欠落ページ通知手段、
を有することにより、
各部に通し番号をつけた印刷出力を回収確認する際、複写機の自動給紙装置とスキャナを用い、ユーザは読取りボタンを押す程度で容易にすべての印刷出力が回収できたかどうかを確認することができる。
【発明を実施するための最良の形態】
【０００７】
図1から図22は本発明の実施例をもっともよく表す図面であり、これらの図により説明を行なう。
【０００８】
図1は本実施例で説明する全体の流れ図を示したものである。なお、本実施例では、10ページから成る文書を30部印刷出力し、関係者に配布、その文書の説明を行った後、すぐに回収を行い、すべての文書が回収されたかどうかの確認を行うものとする。
【０００９】
図２から図５は、図１に示す各ステップの詳細ステップを図示したものであり、図２はS101でユーザが印刷指示を行う手順を示した詳細流れ図、図３はS101のユーザ印刷指示に基づき、プリンタドライバが印刷を行う手順を示したS102の詳細流れ図、図４はS103において複写機が受信した文書データを印刷する手順を示した詳細流れ図、図５はS106において、ユーザが回収した印刷出力を複写機で回収確認する手順を示した詳細流れ図を示している。
【００１０】
本実施例で説明するシステム構成の一例は図6に示すものであり、601はコンピュータネットワーク、602および603はユーザがドキュメントを印刷するクライアントコンピュータ、603はネットワークに接続されたデジタル複写機である。
【００１１】
次に図１に示す全体の流れ図に沿って、ユーザが文書を印刷してから回収確認するまでの手順を詳細に説明する。
【００１２】
[S101の手順の説明]
S101の詳細ステップは図2に示すとおりである。
【００１３】
まず、S201において、ユーザは印刷する文書をアプリケーションで開く。ここで開くアプリケーションは10ページの文書であるものとする。
【００１４】
次にユーザはこの文書の印刷を指示する。なお、印刷指示をする際に、印刷属性として、
部数を30部、
部の序数の印刷をON
印刷出力の回収確認をON
に設定するものとする。
【００１５】
次にこの設定方法に関して詳細に説明する。
【００１６】
図７から図１１は、プリンタドライバのユーザインターフェースであり、701はページサイズなどの主要な印刷属性の設定を行う、Mainシート、801は両面設定やステープル設定、本実施例で説明する回収確認を行うかどうかなどの設定を行うFinishingシート、901は給紙段を選択するPaper Sourceシート、1001は画像品質の設定などを行うQualityシートである。また、1101は部の序数印刷および印刷出力の回収確認の設定を行うダイアログである。
【００１７】
ユーザはまずMainシート(701)において、702の部数設定コントロールで部数の設定を行う。実施例では30部印刷出力を行うため、部数設定コントロール(702)に30を設定する。次に、印刷出力に部の序数印刷および印刷出力の回収確認を行うため、設定ダイアログ(1101)を開き設定を行う。まず、部の序数を印刷するため、1102の"Print Copy Numbering"(部の序数印刷)コントロールをONにする。なお、部の序数を印刷する際に、開始番号も指定可能としているため、1103の"Start Number"(開始番号)コントロールで開始番号を入力するが、開始番号はデフォルト設定の1とするため、"Start Number"(1103)はこのままとする。最後に、印刷出力の回収確認を行うため、1104の"Confirm Printout Collection"(印刷出力の回収確認)コントロールをONにする。これで設定が終わったため、保存してダイアログを閉じるため、1105のOKボタンを押下する。
【００１８】
ここまでの手順で印刷属性の設定が完了したため、ユーザは印刷開始を指示するために703のOKボタンを押下する。
【００１９】
[S102の手順の説明]
次に、S101のユーザの印刷指示に基づき、プリンタドライバが印刷データを生成するステップ(S102)を説明する。
【００２０】
S102の詳細ステップは図3に示すとおりである。
【００２１】
プリンタドライバまずS301において、アプリケーションから送られる印刷データをローカルハードディスクなどのクライアントコンピュータの記憶装置にスプールする。アプリケーションからの印刷データ送付が完了した段階で、全ページ数が確定するため、プリンタドライバはユーザが印刷指示した文書のページ数を計数する。この文書は10ページ文書であるので、プリンタドライバは全ページ数が10ページであることを把握する。
【００２２】
次にS302において、プリンタドライバは「部の序数印刷」設定、「部の序数印刷の開始番号」設定、「印刷出力回収確認」設定、「部数」設定、プリンタドライバが計数した「部あたりのページ数」情報の属性情報を含む印刷属性を生成、および描画データをデジタル複写機(604)に送信する。
【００２３】
図１２はデジタル複写機(604)に送信する印刷データのうち、「部の序数印刷」設定、「印刷出力回収確認」設定、「部数」設定、プリンタドライバが計数した「部あたりのページ数」情報の属性情報の部分を説明したものである。他の印刷属性設定および描画データは一般的なものであり本発明の本質とは関係ないため説明を割愛する。
【００２４】
印刷データにおける印刷属性のフォーマットは、
%%キーワード:値
としている。なお、この実施例ではこのようなフォーマットを使用しているが、他の設定可能なフォーマットであればどのような形態でも構わない。
【００２５】
1201では、「部の序数印刷」属性を設定している。「部の序数印刷」属性を示すキーワードは "PrintCopyNumbering"としており、値はONを設定する。
【００２６】
1202では、「部の序数印刷の開始番号」属性を設定している。「部の序数印刷の開始番号」属性を示すキーワードは"StartNumberOfCopyNumbering"としており、値は数値で1を設定する。
【００２７】
1203では、「印刷出力回収確認」属性を設定している。「印刷出力回収確認」属性を示すキーワードは"ConfirmPrintoutCollection"としており、値はONを設定する。
【００２８】
1204では、「部数」属性を設定している。「部数」属性を示すキーワードは"Copies"としており、値は数値で30を設定する。
【００２９】
1205では、「部あたりのページ数」属性を設定している。「部あたりのページ数」属性を示すキーワードは "PrintCopyNumbering"としており、値は数値で10を設定する。
【００３０】
S102では図１２に示す印刷属性設定を含む、必要な印刷属性データと描画データを生成し、デジタル複写機(604)に送信する。
【００３１】
[S103の手順の説明]
次に、S102でプリンタドライバが生成、送信してきた印刷データを受信し文書を印刷するステップ(S103)を説明する。
【００３２】
S103の詳細ステップは図4に示すとおりである。
【００３３】
S401では、デジタル複写機(604)は受信した印刷データから「部の序数印刷」属性と「印刷出力回収確認」属性を取り出す。次にS402でこれらの設定がOFFであればS405に進み通常の印刷を行うが、本実施例ではこれらの設定はONにしているため、S403に進む。
【００３４】
S403では、印刷出力回収確認を行うため、全出力ページに2次元バーコードを印刷するが、今回の印刷で印刷した出力であることを特定するために、特定のコードを埋め込むこととする。特定のコードは印刷するごとに唯一であることが必要であるため、本実施例ではUUID(Universal Unique IDentifier)を使用する。UUIDは一般的なものであり多くのコンピュータプラットフォームでも生成可能であることから詳細な説明は割愛する。図13はUUIDの一例であり、128ビットのビット列となっている。図では16進数表記をしているため32桁の表記となっている。本実施例では実際に生成したUUID(1301)を使用する。
【００３５】
次にS404でデジタル複写機(604)は部の序数と印刷出力回収確認のための識別コードを各ページに印刷する。本実施例では、識別コードとして、後のスキャン処理で認識率が高く、多くの情報を埋め込むことが可能な2次元バーコードを使用する。
【００３６】
図１４は2次元バーコードに埋め込む情報のフォーマットを示したものであり、はじめから、「部の序数」「ページ数」(先頭ページを1としたときのその印刷ページのページ番号)、「部の総数」「部あたりのページ数」「UUID」の順で、各情報はコロン(:)で区切るものとする。
【００３７】
図１５は1部目の第1ページの2次元バーコードの埋め込む文字列を示したものであり、パラメータは左から、1部目であるため、1、第1ページであるため1、部の総数は30部印刷であるため30、部あたりのページ数は10ページであるため10、最後にUUIDとなっている。1502はこの文字列(1501)を2次元バーコードにしたものであり、後にこの2次元バーコード(1502)をスキャンすることにより文字列(1501)を取得することが可能となる。図１６は1部目の第1ページの印刷出力を示したものであり、1601はページイメージ、1602は本文の印刷、1603は部の序数を印刷したものであり、本実施例では、30部の印刷に対する1部目の印刷であるため、"1/30"という部の序数を印刷している。1604は2次元バーコードであり、先ほど生成した2次元バーコード(1502)が印刷されている。
【００３８】
この要領で、デジタル複写機(604)は1部目の残りのページ、また残りの部数を印刷して印刷を完了する。
【００３９】
次にユーザは出力された印刷出力を頒布して説明会などを行う。ただし、この配布資料は機密性が高いため説明会終了後に回収を行う。
【００４０】
なお、この説明会には不届き者がいて、部の序数10の8〜10ページ、部の序数15のすべてのページが盗難、また、部の序数10の7ページと10ページ、部の序数20の全ページが他の2次元バーコード付のページ(つまり部の序数、ページ数、部数、部あたりのそうページ数は同じだが、UUIDが異なるページ)に差し替えられたものとする。
【００４１】
[S106の手順の説明]
ここで、頒布した資料の一部のページが盗難にあったり、差し替えられてしまったが、そのような状態の印刷出力を回収し確認するステップ(S106)を説明する。
【００４２】
S106の詳細ステップは図5に示すとおりである。
【００４３】
このステップでは、回収した印刷出力は300ページ近くあるため、ユーザは2回に分けてデジタル複写機の自動原稿送り装置にセット、回収確認指示するものとする。
【００４４】
まず、S501においてユーザは回収印刷出力の約半分をデジタル複写機(604)の自動原稿送り装置にセットする。次にS502においてユーザはデジタル複写機(604)の操作パネル上で回収確認を支持するためのボタンを押下する。図１７はデジタル複写機(604)の本体パネルk一例であり、1701は設定情報表示部、1702はより詳細なコピー設定を行うための"Detailed Settings"ボタン、1703は回収した印刷出力を確認するための"Printout Collection"(回収印刷出力確認)ボタンである。ユーザは原稿をセットした段階で回収確認するため、"Printout Collection"ボタン(1703)を押下する。
【００４５】
この指示により、デジタル複写機(604)は原稿を自動原稿送り装置から次々に給紙し、各ページの2次元バーコードをスキャン、認識し、回収した印刷出力がすべて揃っているか確認する。なお、原稿のおき方は部の序数順、ページ順である必要はないが、説明の順番の都合から部の序数の昇順に原稿がセットされるものとする。
【００４６】
S503において、セットされた原稿から1枚スキャンする。続いてS504において、スキャンした原稿から、2次元バーコードを読み取り、「UUID」「部の序数」「ページ数」「部数」「部あたりのページ数」の情報を取得する。ここでは、1部目の1ページは幸い差し替えや盗難にあっていないため、回収できているため、2次元バーコードの解析結果は、もとの情報と同じく1501に示す文字列となる。1501の文字列から、UUID、全部数は30、部あたりのページ数は10、読み込んだページは部の序数が1の1ページ目であることがわかる。
【００４７】
次に、S505において、デジタル複写機(604)ははじめに読み込んだページのUUIDをマスターUUIDとして記憶する。この実施例では、1301となる。
【００４８】
次にS506において、デジタル複写機(604)は、回収情報を記録する。図１８はデジタル複写機(604)が内部に保持する回収確認テーブルのフォーマットを示したものである。1801はバイト、1802はそれぞれのバイト中のビット列を示す。このテーブルの初期値はすべてのビットがゼロであり、各部、各ページの回収ができた場合、1をセットして、回収が確認できるようにしたものである。また、各ページのUUIDの一致も確認できるようにしてあり、一致していれば1をセットするものとする。
【００４９】
回収確認テーブルのフォーマットは、1803の第0バイトは部の序数が1のUUID一致フィールド、1804第1バイトは部の序数が1の各ページの回収確認フィールドとなっている。また、各バイトは、第7ビットから数字が小さいページ順に割り当てられている。例えば、第0バイトの第7ビットは部の序数1の1ページ目のUUIDの一致を示すビット、第1バイトの第7ビットは部の序数1の1ページ目の回収確認を示すビットである。
【００５０】
なお、このようにした場合、1部あたりのページ数が8の倍数でない場合、バイトの途中で部のページが切れてしまうが、テーブルの操作のしやすさから、あまったビットは使用しないものとする。そのため、1部あたりのページ数がNの場合、1部あたりint(N/8+1)x2バイト(intは切り捨て関数)の回収確認テーブルが必要となる。
【００５１】
先ほどのS504で、部の総数は30、1部あたりのページ数は10であることから、回収確認テーブルに必要なバイト数はint(10/8+1)x2x30=120バイトであることがわかる。これにより、デジタル複写機(604)は120バイトの回収確認テーブルを用意する。
【００５２】
S506においては、部の序数が1の1ページ目の確認ができたため、回収確認テーブルの第1バイト、第7ビットに1をセットする。
【００５３】
次に、S507において、UUIDがマスターと一致していれば、UUIDのビットに1をセットする。マスターUUIDは1ページ目のものであり、自分自身のものであるため一致しており、第0バイト、第7ビットに1をセットする。
【００５４】
続いて、S508において、次に読むべき原稿が自動原稿送り装置にあれば、S503に戻り同じ手順を繰り返す。これを自動原稿送り装置に読み込むべき原稿がなくなるまで繰り返す。
【００５５】
ここで、1部目の原稿が終わった状態の回収確認テーブルを図１９に示す。1部目は、部の序数1の原稿であり、どのページの欠落、差し替えがないため、UUID、回収の各ビットはすべて1となり、図１９のようになる。
【００５６】
続いて、部の序数が10の回収確認を終えた回収確認テーブルの状態を図20に示す。本実施例では、部の序数が10の印刷出力は、7ページ目が差し替え、8〜10ページが盗難にあっているため回収できていない。そのため、図２０に示すように、7ページ目の回収確認(第37バイトの第2ビット)は1となっているが、UUIDの一致(第36バイトの第2ビット)は0となっており、UUIDが一致していないことを示している。また、第36、37バイトの第1, 0ビット、第38, 39バイトの第7, 6ビットは0となっており、回収できていないことを示している。
【００５７】
このようにS503からS508の繰り返しで自動原稿送り装置の回収出力の確認が終わる。最後の自動原稿送り装置のページを読み込んだあと、S509において、続いて回収確認する印刷出力があるかどうかをユーザに確認する。図21はデジタル複写機(604)の本体パネルに表示する、継続読み込みをするかどうかの確認を行うダイアログであり、2101は確認ダイアログ、2102は読み込みを続けるボタン、2103は読み込みを終了するボタンである。ユーザはまだ回収確認する印刷出力を半分残しているため、残りの原稿をセットして読み込み継続ボタン(2102)を押下して継続する。ユーザが継続ボタン(2102)押下後、は前の説明と同様に残りの現行の回収確認を行う。後半の回収確認では、部の序数15の印刷出力がすべて盗難、部の序数20の原稿がすべて差し替えられているため、該当するビットはすべて0のままとなっている。
【００５８】
デジタル複写機(604)の自動原稿送り装置にセットされているすべての原稿についてスキャンが終了すると、再度S509にてユーザに継続読み込みするか確認を行う。ユーザはすべての原稿スキャンが終了したため、継続確認ダイアログ2101において、読み込み終了ボタン(2103)を押下する。次にデジタル複写機(604)は、S510において、回収確認テーブルから、回収できなかったページのリスト、回収できたがオリジナルとは異なるもののリストを作成する。本実施例では、回収できなかったページ、偽物に差し替えられていたページがあるため、S511の判断でS512に進む。S512において、リストを印刷する。図22はデジタル複写機(604)が印刷出力した欠落、差し替えページの情報であり、2201は出力ページ、2202は未回収のページ、2203は差し替えのあったページの情報である。
【００５９】
なお、S511において、回収確認テーブルのすべてのビットが1、すなわち、未回収ページがなく、差し替えページもない場合は、印刷するとコストがかかるため、デジタル複写機の本体パネルに表示する、という方法がある。
【図面の簡単な説明】
【００６０】
【図１】実施例の全体流れ図。
【図２】S101の詳細流れ図。
【図３】S102の詳細流れ図。
【図４】S103の詳細流れ図。
【図５】S106の詳細流れ図。
【図６】ネットワークプリントシステム。
【図７】プリンタドライバのMain設定シート。
【図８】プリンタドライバのFinishing設定シート。
【図９】プリンタドライバのPaper Source設定シート。
【図１０】プリンタドライバのQuality設定シート。
【図１１】プリンタドライバの部の序数印刷設定ダイアログ。
【図１２】印刷属性設定部。
【図１３】UUID。
【図１４】識別コード文字列フォーマット。
【図１５】2次元バーコード。
【図１６】出力ページ。
【図１７】デジタル複写機本体パネル。
【図１８】回収確認テーブルフォーマット。
【図１９】回収確認テーブル。
【図２０】回収確認テーブル。
【図２１】回収確認読み込み継続確認ダイアログ。
【図２２】回収確認結果出力ページ。
【図１】
2006173748.tif 000003
【図２】
2006173748.tif 000004
【図３】
2006173748.tif 000005
【図４】
2006173748.tif 000006
【図５】
2006173748.tif 000007
【図６】
2006173748.tif 000008
【図７】
2006173748.tif 000009
【図８】
2006173748.tif 000010
【図９】
2006173748.tif 000011
【図１０】
2006173748.tif 000012
【図１１】
2006173748.tif 000013
【図１２】
2006173748.tif 000014
【図１３】
2006173748.tif 000015
【図１４】
2006173748.tif 000016
【図１５】
2006173748.tif 000017
【図１６】
2006173748.tif 000018
【図１７】
2006173748.tif 000019
【図１８】
2006173748.tif 000020
【図１９】
2006173748.tif 000021
【図２０】
2006173748.tif 000022
【図２１】
2006173748.tif 000023
【図２２】
2006173748.tif 000024